(57)【要約】  【課題】  コストアップを最小限に抑え、原稿圧板と操作部の隙間も最小限にして、原稿圧板と操作部の干渉を回避する。  【解決手段】  原稿台４に対して垂直方向に移動可能な複数のヒンジ部材６、７と、原稿台に対して複数のヒンジ部材を介して回転開閉可能に軸支された原稿圧板３と、原稿圧板と並列に配された操作部８と、を備えた電子機器である。原稿圧板の操作部側に原稿台と当接可能なカム１５を設け、原稿圧板の回転開閉動作中にカム１５を原稿台４に当接させる。この当接により原稿圧板の操作部側を上方へ移動させることで複数のヒンジ部材６、７の回転中心を結ぶ中心線を操作部側が高くなる方向に傾けることで、原稿圧板と操作部との間に所定の隙間を確保する。【選択図】  図１
2011015250.tif 000002
【特許請求の範囲】
【請求項１】
原稿台に対して垂直方向に移動可能な複数のヒンジ部材と、前記原稿台に対して前記複数のヒンジ部材を介して回転開閉可能に軸支された原稿圧板と、前記原稿圧板と並列に配された操作部と、を備えた電子機器において、
前記原稿圧板の前記操作部側の部位に原稿台に当接可能なカムを設け、
前記原稿圧板が閉じた状態では前記カムが前記原稿台から離間することで、前記複数のヒンジ部材における前記原稿圧板の回転中心が同一高さとなり、
前記原稿圧板を第１の角度まで開いたとき、前記カムが前記原稿台に当接することで前記原稿圧板の前記操作部側の回転中心が高くなることにより、前記複数のヒンジ部材における前記原稿圧板の回転中心を結ぶ中心線は前記操作部側が高くなる方向に傾き、
前記原稿圧板を前記第１の角度より大きい第２の角度まで開いたとき、前記カムが前記原稿台から離間することで、前記複数のヒンジ部材における前記原稿圧板の回転中心が同一高さとなることを特徴とする電子機器。
【請求項２】
前記ヒンジ部材は前記原稿圧板の回転中心線方向に所定間隔をおいた２箇所に設けられることを特徴とする請求項１に記載の電子機器。
【請求項３】
前記操作部は回転開閉可能な表示部を有することを特徴とする請求項１または２に記載の電子機器。
【請求項４】
前記原稿圧板を閉じたとき、前記原稿圧板に設けられた弾性を有する原稿押圧部材により、前記原稿台に原稿を密着させることを特徴とする請求項１ないし３のいずれか１項に記載の電子機器。
【請求項５】
記録ヘッドにより記録媒体に記録を行う記録装置と、前記原稿台上の原稿を読み取る原稿読取部と、を備えた複合機であることを特徴とする請求項１ないし４のいずれか１項に記載の電子機器。
【発明の詳細な説明】
【技術分野】
【０００１】
本発明は、原稿台に対して複数のヒンジ部材を介して回転開閉可能に軸支された原稿圧板と、原稿圧板と並列に配された操作部と、を備えた電子機器に関する。
【背景技術】
【０００２】
近年、原稿を読み取り可能な電子機器として、記録装置と原稿読取部とを組み合わせた複合機が実用化されている。この複合機における記録装置としては、インクジェット方式、熱転写方式、レーザービーム方式など、種々の記録方式のものを使用することができる。原稿読取部は、原稿読取素子からなるコンタクトセンサ列を搭載して往復移動可能なスキャナーキャリッジを用いて、原稿圧板によって原稿台ガラス上に密着された原稿を読み取るように構成されている。原稿圧板は、原稿台に対して回転開閉可能に軸支されている。
【０００３】
原稿を読み取る電子機器においては、原稿を原稿読取部の原稿台の原稿台ガラス上にずれなく密着させるため、原稿圧板（原稿押し付け部材）を原稿と平行にした後に原稿を押さえ付ける構成が提案されている。
【先行技術文献】
【特許文献】
【０００４】
【特許文献１】特開平１１−２０５５４８号公報
【発明の概要】
【発明が解決しようとする課題】
【０００５】
近年、原稿読取部を備えた電子機器においては、低コストで機能およびデザインを向上させることを要請されている。これに対応するため、コストアップを抑えながら各構成部品の間の隙間をできるだけ少なくすることにより、製品の付加価値を向上させることが要請されている。原稿読取部を備えた電子機器においては、回転開閉可能な原稿圧板に隣接して表示部やインジケータ部を有する操作部を並列配置する構成が採られている。かかる構成の電子機器では、コストアップを最小限に抑えるとともに、原稿圧板と操作部との間の隙間を必要最小限にすることが強く要請されることになる。
【０００６】
本発明はこのような技術的課題に鑑みてなされたものであり、従来技術の改良を目的とする。本発明のより具体的な目的は、コストアップを最小限に抑え、原稿圧板と操作部との隙間を最小限にして原稿圧板と操作部との干渉を防止することができる電子機器を提供することである。
【課題を解決するための手段】
【０００７】
本発明は、原稿台に対して垂直方向に移動可能な複数のヒンジ部材と、前記原稿台に対して前記複数のヒンジ部材を介して回転開閉可能に軸支された原稿圧板と、前記原稿圧板と並列に配された操作部と、を備えた電子機器において、前記原稿圧板の前記操作部側の部位に原稿台に当接可能なカムを設け、前記原稿圧板が閉じた状態では前記カムが前記原稿台から離間することで、前記複数のヒンジ部材における前記原稿圧板の回転中心が同一高さとなり、前記原稿圧板を第１の角度まで開いたとき、前記カムが前記原稿台に当接することで前記原稿圧板の前記操作部側の回転中心が高くなることにより、前記複数のヒンジ部材における前記原稿圧板の回転中心を結ぶ中心線は前記操作部側が高くなる方向に傾き、前記原稿圧板を前記第１の角度より大きい第２の角度まで開いたとき、前記カムが前記原稿台から離間することで、前記複数のヒンジ部材における前記原稿圧板の回転中心が同一高さとなることを特徴とする。
【発明の効果】
【０００８】
本発明によれば、コストアップを最小限に抑え、原稿圧板と操作部との隙間を最小限にして原稿圧板と操作部との干渉を防止することができる電子機器が提供される。
【図面の簡単な説明】
【０００９】
【図１】（ａ）は一実施形態に係る電子機器の保管状態の斜視図、（ｂ）は一実施形態に係る電子機器の原稿圧板と表示部を開いたときの斜視図、（ｃ）は一実施形態に係る電子機器の給紙口および排紙口を開き、原稿圧板を閉じて表示部を開いたときの斜視図
【図２】（ａ）は原稿圧板を閉じたときのヒンジ部材の状態を示す右側面図、（ｂ）は原稿圧板を開くときのヒンジ部材の初期状態を示す右側面図、（ｃ）は（ｂ）から原稿圧板をさらに若干開いたときのヒンジ部材の状態を示す右側面図、（ｄ）は原稿圧板をさらに開いて原稿圧板のカムが原稿台のカム当接部に接触し始めるときのヒンジ部材の状態を示す右側面図、（ｅ）は原稿圧板の開き角度が大きくなって原稿圧板のカムが原稿台のカム当接部から離間するときのヒンジ部材の状態を示す右側面図、（ｆ）は原稿圧板が完全に開いたときのヒンジ部材の状態を示す右側面図
【図３】原稿圧板と操作部との間の隙間の状態を示す部分平面図
【図４】右側のヒンジ部材における回転中心が高くなったときの複数のヒンジ部材の回転中心線の傾斜状態を示す正面図
【図５】表示部の先端より原稿圧板が高くなる角度まで原稿圧板を開いた状態を示す右側面図
【発明を実施するための形態】
【００１０】
以下、図面を参照して本発明の実施形態を具体的に説明する。なお、各図面を通して同一符号は同一または対応部分を示すものである。図１（ａ）は一実施形態に係る電子機器の保管状態の斜視図である。図１（ｂ）は一実施形態に係る電子機器の原稿圧板と表示部を開いたときの斜視図である。図１（ｃ）は一実施形態に係る電子機器の給紙口および排紙口を開き、原稿圧板を閉じて表示部を開いたときの斜視図である。本実施形態では、電子機器が原稿読取部３０と記録装置５０を備えた複合機器である場合を例に挙げる。記録装置５０は、画像情報に基づいて記録ヘッドにより紙等のシート状の記録媒体に画像を記録する。原稿読取部３０は、ＣＣＤ等の画像読取素子で原稿を読み取る。なお、記録装置としては、インクジェット方式、熱転写方式、レーザービーム方式など、種々の記録方式のものを使用可能である。
【００１１】
原稿台４は筐体３１の上部で形成されており、筐体３１の内部に原稿を読み取る画像読取素子を搭載して往復移動するスキャナキャリッジ（不図示）と、記録ヘッドで記録媒体に記録を行う記録装置５０が収容されている。原稿台４の開口部には原稿台ガラス２が固定されている。原稿読取部３０は、原稿台４上の原稿台ガラス２に原稿を密着させるための原稿圧板３と前記スキャナキャリッジとで構成される。このスキャナキャリッジには、原稿読取素子としてのコンタクトセンサ列が搭載されている。原稿圧板３は、複数のヒンジ部材６、７を介して原稿台４に対して開閉可能に軸支されている。各ヒンジ部材６、７には原稿圧板３を回転開閉可能に軸支する軸受部が設けられている。そして、各ヒンジ部６、７は、原稿台４に対して垂直（上下方向）に移動可能に装着されている。原稿圧板３の下面には、原稿台ガラス２に原稿を均一に密着させるための弾性を有する板状の原稿押圧部材５が両面テープ等で固着されている。
【００１２】
原稿圧板３の右側（機器の前面から見て右側）には、操作部８が並列して設けられている。操作部８は、機器本体に対して回転開閉可能な表示部９と、ユーザが入力可能な各種キー部および電源オンオフを含む各部の動作状態を示すインジケータ部を有する操作パネル部２１と、を備えている。表示部９は、図１（ｂ）に示すように機器使用状態では任意の角度に保持可能であり、また、図１（ａ）に示すように非使用時には各種キー類やインジケータ部を覆う位置に閉じることができる。操作部８の下には各種記憶媒体からデータの読み書きが可能なインターフェース（不図示）が設けられており、その前面にはインターフェース部を覆うための回転開閉可能なカードカバー１０が取り付けられている。
【００１３】
原稿読取部３０の下に記録装置５０が配されることから、図１（ｃ）に示すように、筐体３１の背面部には記録前の記録媒体を積載保持するための給紙口１１が設けられ、前面部には記録ヘッドにより記録された記録媒体を排出するための排紙口１２が設けられている。記録装置５０を使用しないときは、給紙口１１は給紙カバー１２で覆われ、排紙口１３はフロントカバー１４で覆われている。給紙カバー１２およびフロントカバー１４は機器本体（複合機本体）に対して回転開閉可能になっている。紙等の記録媒体に記録するとき、給紙カバー１２は記録前の記録媒体を積層保持する給紙トレイとして機能し、フロントカバー１４は記録された記録媒体を積層保持する排紙トレイとして機能する。また、フロントカバー１４は記録動作前に自動的に開く構成となっている。
【００１４】
図２（ａ）は原稿圧板３を閉じたときのヒンジ部材６、７の状態を示す右側面図である。図２（ｂ）は原稿圧板を開くときのヒンジ部材の初期状態を示す右側面図である。図２（ｃ）は図２（ｂ）から原稿圧板をさらに若干開いたときのヒンジ部材の状態を示す右側面図である。図２（ｄ）は原稿圧板をさらに開いて原稿圧板のカムが原稿台のカム当接部に接触し始めるときのヒンジ部材の状態を示す右側面図である。図２（ｅ）は原稿圧板の開き角度が大きくなって原稿圧板のカムが原稿台のカム当接部から離間するときのヒンジ部材の状態を示す右側面図である。図２（ｆ）は原稿圧板が完全に開いたときのヒンジ部材の状態を示す右側面図である。図３は原稿圧板３の右側側面と操作部８の左側側面との隙間を示す部分平面図である。図４は右側のヒンジ部材６における回転中心が高くなったときの複数のヒンジ部材の回転中心線の傾斜状態を示す正面図である。図５は表示部の先端より原稿圧板が高くなる角度まで原稿圧板を開いた状態を示す右側面図である。
【００１５】
図２（ａ）および図３において、原稿読取部３０では、原稿圧板３を閉じることにより、原稿圧板に両面テープ等で固着された弾性のある原稿押圧部材５によって（を介して）原稿を原稿台ガラス２に密着させる。このとき、弾性を有する原稿押圧部材５を除く他の部位は原稿台ガラス２や原稿台４に接触しない。また、複数のヒンジ部材６、７は、それぞれ、原稿台４に対して垂直方向に移動可能に装着されている。従って、原稿圧板３を閉じて原稿押圧部材５を原稿台ガラス２に密着させた状態では、原稿圧板３を軸支する各ヒンジ部材（右側および左側のヒンジ部材）６、７は原稿台４から浮き上がっている。この浮き上がりによって、図２（ａ）に示す隙間Ａが生じる。原稿圧板３を回転開閉可能に軸支する各ヒンジ部材６、７は、厚みの異なる原稿でも読み取り可能なように、原稿台４に対して上下方向に所定距離移動可能に装着されている。この移動可能な距離は、例えば約１０ｍｍ程度に設定される。
【００１６】
図３において、原稿圧板３は原稿台４に対してヒンジ部材６、７を介して軸支されており、最大ガタのとき、閉じた状態では、機器本体の前部で左右方向（図３中の矢印Ｂ方向および矢印Ｃ方向）に約１ｍｍ程度動く（変位する）ことがある。表示部９は、閉じた状態では、原稿台４の右側面との間で隙間１．５ｍｍを確保するように、治具等で調整して組み付けられている。このようにして、原稿圧板３と表示部９は、閉じた状態では、左右方向において、ガタを含めて最小で０．５ｍｍの隙間を確保することが可能であり、両者が干渉（接触）することはない。
【００１７】
次に、図２（ｂ）〜図２（ｆ）を用いて、原稿圧板３を開くときの状態について説明する。複数のヒンジ部材６、７は原稿台４に対して垂直（上下方向）に移動可能に装着されており、各ヒンジ部材には、原稿圧板３の回転開閉可能に軸支する軸受構造が設けられている。原稿圧板３を開くと、初期段階では図２（ｂ）に示すように、ある角度（本実施形態では開き角度０．８度）で、弾性のある原稿押圧部材５と原稿台ガラス２との全面接触が無くなり、右ヒンジ部材６および左ヒンジ部材７は下方へ（矢印Ｄ方向に）移動し始める。この状態から原稿圧板３をさらに開くと（開き角度１．６度）、図２（ｃ）に示すように、下がり始めた左右のヒンジ部材６、７は原稿台４とＥ部で接触し、その高さ位置に保持される。この状態からさらに原稿圧板３を開くと、図２（ｄ）に示すように、第１の角度である開き角度１５度から右側（操作部８側）のヒンジ部材６において、原稿圧板３に設けられたカム形状（カム）１５が原稿台４に設けられたカム当接面１６と接触する。
【００１８】
原稿圧板３のカム１５と原稿台４のカム当接面１６が接触すると、当接面１６を支点として原稿圧板３および右ヒンジ部材６が上方向（矢印Ｆ方向）へ移動する。他方の（左側の）ヒンジ部材７の方では、カム１５およびカム当接面１６に対応する構成がないので、ヒンジ部材７は原稿台４に当接した下降位置に保持されたままである。その結果、原稿圧板３の右側のヒンジ部材６における回転中心は左側のヒンジ部材７における回転中心より高くなる。このため、原稿圧板３の回転開閉動作の際の回転中心線は、図４中の鎖線Ｇで示すように上下方向に傾く。つまり、回転開閉動作の途中で、水平方向であった回転中心線がカム１５と当接面１６との接触によって、上下方向に傾斜させられる。各ヒンジ部材６、７の回転中心を結ぶ中心線が傾くことで、原稿圧板３は、その右側面（操作部８側の側面）１７が左側へ（操作部８から離れる方向へ）移動しながら開かれていく。これにより、原稿圧板３を回転開閉するときに、操作部８（その表示部９）の左側面と原稿圧板３の右側面が干渉したり、接触することを回避することができる。従って、原稿圧板と操作部との間の隙間を小さく設定した場合でもその間の干渉を防止することができる。このとき、右側のヒンジ部材６は原稿台４から浮いているが、左側のヒンジ部材７は原稿台４から浮いていない。
【００１９】
なお、右側（操作部８側）のヒンジ部材６に対して左側のヒンジ部材７の回転中心を下げることで原稿圧板３の回転中心線を同方向に傾斜させる方法も考えられる。しかし、本実施形態では、機器本体（または筐体３１）背面に給紙カバー１２が配されているため、左側の回転中心を下げる方法では、原稿圧板３の開閉動作の際に原稿圧板３と給紙カバー１２との隙間が少なくなり、設計条件が厳しくなる場合がある。従って、いずれの方法でも良いが、上述のように右側のヒンジ部材６を上げる方がより好ましいと言える。
【００２０】
カム１５が当接部１６に当接した状態でさらに原稿圧板３を開いていくと、図５に示すような開いた表示部９の先端よりも原稿圧板３が高くなる角度（本実施形態では開き角度で約４８度）を超える。この角度を超えて原稿圧板３をさらに開いていく。そして、図２（ｅ）に示すように原稿圧板が第２の角度である開き角度で８０度に到達すると、原稿圧板３のカム１５が原稿台４のカム当接面１６から離間する。すると、原稿圧板３と共に右側のヒンジ部材６が下降し、ヒンジ部材６が原稿台４と接触するまで下がる。これにより、原稿圧板３の開き角度が８０度以上では、右側のヒンジ部材６の回転中心と左側のヒンジ部材７の回転中心の高さが再び同じ高さとなる。つまり、複数のヒンジ部材６、７の回転中心を結ぶ中心線が原稿読取部３０の原稿台ガラス面２に対して平行な状態に戻される。そして、図２（ｆ）に示すように原稿圧板３が完全に開いた状態（開き角度が約１００度）では、原稿圧板３の左右のヒンジ部材６、７の回転中心が同一高さとなり、平行に延びる回転中心線の回りで原稿圧板３が回転開閉する安定した状態となる。
【００２１】
以上説明した実施形態に係る電子機器は、左右方向の２箇所で原稿台４の上面に対して垂直方向に移動可能な複数（２個）のヒンジ部材６、７と、これらのヒンジ部材を介して原稿台４に対して回転開閉可能に軸支された原稿圧板３と、を備えている。さらに、機器本体に対して、原稿圧板３と左右方向に並列して設けられた操作部８を備えている。操作部８には、回転開閉可能な表示部９が装着されている。そこで、原稿圧板３の操作部８側の部位には原稿台４のカム当接面１６に当接可能なカム１５が設けられている。原稿圧板が閉じた状態ではカム１５が原稿台のカム当接面１６から離間し、複数のヒンジ部材６、７における原稿圧板の回転中心が同一高さとなる。原稿圧板３を所定の第１の角度まで開いたときカムが原稿台のカム当接面に当接することで原稿圧板の操作部８側の回転中心の高さが高くなり、複数のヒンジ部材６、７における原稿圧板３の回転中心を結ぶ回転中心線が右上がりに傾く。原稿圧板の開き角度が第１の角度より大きい第２の角度になったとき、カム１５が原稿台のカム当接面１６から離間し、複数のヒンジ部材６、７における原稿圧板の回転中心が同一高さとなる。かかる構成の電子機器によれば、コストアップを最小限に抑え、原稿圧板３と操作部８との隙間を最小限にして原稿圧板と操作部との干渉を防止することができる電子機器が提供される。なお、以上の実施形態では、原稿圧板３を２個のヒンジ部材６、７で回転開閉可能に支持する場合を例示したが、本発明は、３個以上のヒンジ部材を用いて支持する場合にも同様に適用することができ、同様の作用効果を奏するものである。
【産業上の利用可能性】
【００２２】
本発明は、原稿読取部３０と操作部８に相当する構成を具備した電子機器に利用することができる。
【符号の説明】
【００２３】
２      原稿台ガラス
３      原稿圧板
４      原稿台
５      原稿押圧部材
６、７    ヒンジ部材
８      操作部
９      表示部
１５    カム
１６    カム当接面
３０    原稿読取部
【図１】
2011015250.tif 000003
【図２】
2011015250.tif 000004
【図３】
2011015250.tif 000005
【図４】
2011015250.tif 000006
【図５】
2011015250.tif 000007